(57)【要約】      （修正有）【課題】複数の歯間清掃具が連結された連結成形体をケースから容易に取り出すことができる、歯間清掃具収容体を提供する。【解決手段】ケース本体７と、カバー８と、を有するケースと、ケースに収容され、複数の歯間清掃具が連結部によって連結された連結成形体と、を備え、歯間清掃具は、清掃具本体と、清掃部５と、を備え、軸部は、円弧状の一対の側面を有しており、歯間清掃具は、軸部が同一方向を向くように、把持部３同士が前記連結部によって連結され、ケース本体の側壁は、第１方向に沿う一対の第１側壁７２１と、当該第１方向と直交する第２方向に沿う一対の第２側壁７２１とで矩形状に形成され、ケース本体において、一方の第１側壁に、突部が形成されており、連結成形体は、軸部の延びる一方向が、ケース本体の第１方向に沿うように収容され、突部は、ケース本体に収容された前記歯間清掃具の軸部の円弧状の側面と対向する位置に形成されている。【選択図】図７
2018042806.tif 000002
【特許請求の範囲】
【請求項１】
底壁、及びその周縁から起立する側壁を有するケース本体と、当該ケース本体における前記底壁とは反対側の開口を開閉自在に覆うカバーと、を有するケースと、
前記ケースに収容され、複数の歯間清掃具が連結部によって連結された連結成形体と、
を備え、
前記歯間清掃具は、
使用者の指で把持可能な把持部、及び前記把持部から一方向に延びる軸部を有する清掃具本体と、
前記軸部の先端部に取り付けられ、歯間を清掃する清掃部と、
を備え、
前記軸部は、前記把持部から前記先端部にいくにしたがって幅が狭くなるように延びる円弧状の一対の側面を有しており、
前記連結成形体において、隣接する前記歯間清掃具は、前記軸部が同一方向を向くように、前記把持部同士が前記連結部によって連結され、
前記ケース本体の側壁は、第１方向に沿う一対の第１側壁と、当該第１方向と直交する第２方向に沿う一対の第２側壁とで矩形状に形成され、
前記ケース本体において、少なくとも一方の前記第１側壁に、突部が形成されており、
前記連結成形体は、前記軸部の延びる前記一方向が、前記ケース本体の前記第１方向に沿うように収容され、
前記突部は、前記ケース本体に収容された前記歯間清掃具の軸部の円弧状の側面と対向する位置に形成されている、歯間清掃具収容体。
【請求項２】
前記清掃部は、前記清掃具本体よりも低い硬度を有するエラストマーによって形成されるとともに、前記軸部の一部を被覆するように形成され、
前記各歯間清掃具において、前記底壁に直交する第３方向における前記清掃部の厚みは、前記清掃具本体の厚みよりも大きい、請求項１に記載の歯間清掃具収容体。
【請求項３】
前記清掃部の静摩擦係数が、前記清掃具本体の静摩擦係数よりも大きい、請求項２に記載の歯間清掃具収容体。
【請求項４】
前記把持部において、前記ケース本体の底壁と対向する面には、凹凸が形成されている、請求項２または３に記載の歯間清掃具収容体。
【請求項５】
前記把持部における、前記第２方向の幅が、前記第３方向の厚みよりも大きい、請求項２から４のいずれかに記載の歯間清掃具収容体。
【請求項６】
前記軸部の側面は、当該軸部の軸線側に凸となる円弧状に形成されている、請求項１から５のいずれかに記載の歯間清掃具収容体。
【請求項７】
前記把持部は平面視矩形状に形成されており、前記軸部が設けられている側と反対側の端部の角部が面取りされている、請求項１から６のいずれかに記載の歯間清掃具収容体。
【請求項８】
前記突部は、前記底壁に直交する第３方向に延びるように形成されており、
前記歯間清掃具の軸部の円弧状の側面は、前記連結成形体が前記ケース本体に収容されたとき、前記第３方向と略平行となるように形成されている、請求項１から７のいずれかに記載の歯間清掃具収容体。
【発明の詳細な説明】
【技術分野】
【０００１】
本発明は、歯間清掃具収容体に関する。
【背景技術】
【０００２】
従来、種々のタイプの歯間清掃具が提案されており、その１つとして、特許文献１には、次のような歯間清掃具が開示されている。すなわち、この歯間清掃具は、指で把持可能な把持部と、この把持部から一方向に延びる軸部と、が樹脂材料で一体的に形成された清掃具本体を有するとともに、軸部の先端部にブラシを有する清掃部が取り付けられている。このような歯間清掃具は単体で販売されるのではなく、把持部同士を連結部によって連結した、複数の歯間清掃具を有する連結成形体として販売されることが多い。そして、このような連結成形体は、連結部を切断し、歯間清掃具を一つずつ切り離して使用するようになっている。
【０００３】
また、連結成形体を保管したり、携帯したりするためのケースも提案されている。このケースは、底壁とその周囲から起立する側壁を有するケース本体と、このケース本体を覆うカバーとを備えている。そして、ケース本体に連結成形体が収容された後、カバーを閉じれば、連結成形体を保管したり、携帯したりすることが可能となる。
【先行技術文献】
【特許文献】
【０００４】
【特許文献１】国際公開第２０１３／１７６２９７号公報
【発明の概要】
【発明が解決しようとする課題】
【０００５】
ところが、ケースに収容した連結成形体を取り出す際には次のような問題があった。例えば、連結成形体を指でつまんで取り出すとき、衛生上の問題から清掃部をつまんで取り出すことはできない。一方、隣接する把持部同士は連結部で連結されているため、把持部の間に指を入れることはできない。したがって、連結成形体は、ケース内でスライドさせながら取り出すことになるが、ケースの側壁は一定の厚みを有するため、スライドさせても取り出しにくいという問題があった。このように、連結成形体をケースから取り出すのは容易ではなく、改善が要望されていた。
【０００６】
本発明は、上記問題を解決するためになされたものであり、複数の歯間清掃具が連結された連結成形体をケースから容易に取り出すことができる、歯間清掃具収容体を提供することを目的とする。
【課題を解決するための手段】
【０００７】
本発明に係る歯間清掃具収容体は、底壁、及びその周縁から起立する側壁を有するケース本体と、当該ケース本体における前記底壁とは反対側の開口を開閉自在に覆うカバーと、を有するケースと、前記ケースに収容され、複数の歯間清掃具が連結部によって連結された連結成形体と、を備え、前記歯間清掃具は、使用者の指で把持可能な把持部、及び前記把持部から一方向に延びる軸部を有する清掃具本体と、前記軸部の先端部に取り付けられ、歯間を清掃する清掃部と、を備え、前記軸部は、前記把持部から前記先端部にいくにしたがって幅が狭くなるように延びる円弧状の一対の側面を有しており、前記連結成形体において、隣接する前記歯間清掃具は、前記軸部が同一方向を向くように、前記把持部同士が前記連結部によって連結され、前記ケース本体の側壁は、第１方向に沿う一対の第１側壁と、当該第１方向と直交する第２方向に沿う一対の第２側壁とで矩形状に形成され、前記ケース本体において、少なくとも一方の前記第１側壁に、突部が形成されており、前記連結成形体は、前記軸部の延びる前記一方向が、前記ケース本体の第１方向に沿うように収容され、前記突部は、前記ケース本体に収容された前記歯間清掃具の軸部の円弧状の側面と対向する位置に形成されている。
【０００８】
この構成によれば、歯間清掃具の軸部に円弧状の側面を形成するとともに、ケース本体の側壁において、ケース本体に収容された歯間清掃具の円弧状の側面と対向する位置に、突部が形成されているため、次の効果を得ることができる。連結成形体を取り出すには、把持部を指で押えつつ、ケース本体内で連結成形体を突部側にスライドする。そして、連結成形体の端部に配置されている歯間清掃具の円弧状の側面が突部に当接した後、さらに連結成形体をスライドさせると、円弧状の側面が突部に沿って移動し、これに伴って、端部の歯間清掃具が側壁側にさらにずれるように移動する。これをきっかけとして、連結成形体をさらに移動させると、端部の歯間清掃具は、側壁を乗り越えてケース本体からはみ出す。この状態で、ケース本体からはみ出した歯間清掃具の把持部を親指と人差し指で把持すれば、連結成形体をケース本体から簡単に取り出すことができる。
【０００９】
このように、本発明においては、歯間清掃具の軸部に円弧状の側面を形成し、これに対向するように、ケース本体の側壁に突部を形成しているため、円弧状の側面が突部に沿って移動することにより、端部の歯間清掃具の把持部が側壁側へスライドするのを助長することができる。これにより、端部の歯間清掃具が側壁を乗り越え、ケース本体の外へ移動させることができる。その結果、連結成形体をケース本体から容易に取り出すことができる。
【００１０】
上記歯間清掃具収容体において、前記清掃部は、前記清掃具本体よりも低い硬度を有するエラストマーによって形成されるとともに、前記軸部の一部を被覆するように形成することができる。そして、前記各歯間清掃具において、前記底壁に直交する第３方向における前記清掃部の厚みは、前記清掃具本体の厚みよりも大きく形成することができる。
【００１１】
この構成によれば、清掃部の硬度が、清掃具本体よりも低く、かつ清掃部の厚みが清掃具本体よりも大きいため、ケース本体内で清掃部が滑りにくくなる。そのため、把持部を押圧しつつ連結成形体をスライドさせると、清掃部を中心として、把持部が円を描くように移動させることができる。これにより、円弧状の側面が、突部に沿って移動しやすくなり、その結果、連結成形体をケース本体から取り出しやすくなる。
【００１２】
上記各歯間清掃具収容体においては、前記清掃部の静摩擦係数を、前記清掃具本体の静摩擦係数よりも大きくすることができる。
【００１３】
この構成によれば、ケース本体内で、把持部を押圧しつつ連結成形体をスライドさせると、清掃部がケース内で滑りにくくなる。そのため、清掃部を中心として、把持部が円を描くように移動させることができる。これにより、円弧状の側面が、突部に沿って移動しやすくなり、その結果、連結成形体をケース本体から取り出しやすくなる。
【００１４】
上記各歯間清掃具収容体では、前記把持部において、前記ケース本体の底壁と対向する面に、凹凸を形成することができる。
【００１５】
この構成によれば、把持部に凹凸が形成されているため、把持部と底壁との接触面積を小さくすることができる。これにより、ケース本体内で、把持部を押圧しつつ連結成形体をスライドさせると、把持部がケース内で滑りやすくなる。そのため、清掃部を中心として、把持部が円を描くように移動させることができる。これにより、円弧状の側面が突部に沿って移動しやすくなり、その結果、連結成形体をケース本体から取り出しやすくなる。
【００１６】
上記各歯間清掃具収容体では、前記把持部における、前記第２方向の幅を、前記第３方向の厚みよりも大きくすることができる。
【００１７】
これにより、把持部の形状が偏平状になるため、ケース本体内でスライドさせながら、取り出すことができる。これに対して、把持部が偏平状に形成されていないと、ケース本体内で転がりやすくなり、取り出しにくくなる可能性がある。
【００１８】
上記各歯間清掃具収容体において、前記軸部の側面の形状は円弧状であれば、特には限定されないが、例えば、当該軸部の軸線側に凸となる円弧状に形成することができる。これにより、円弧状の側面を突部に対してさらにスライドさせやすくなる。
【００１９】
上記各歯間清掃具収容体においては、前記把持部を平面視矩形状に形成することができ、前記軸部が設けられている側と反対側の端部の角部を面取りすることができる。
【００２０】
このようにすると、連結成形体をケース本体内でスライドさせたとき、把持部の角部がケース本体の側壁に引っ掛かるのを防止することができる。その結果、連結成形体を容易に取り出すことができる。
【００２１】
上記各歯間清掃具収容体において、前記突部は、前記底壁に直交する第３方向に延びるように形成されており、前記歯間清掃具の軸部の円弧状の側面は、前記連結成形体が前記ケース本体に収容されたとき、前記第３方向と略平行となるように形成することができる。
【００２２】
これにより、歯間清掃具の側面が、ケース本体の突部と接するため、歯間清掃具が突部や側壁を中心として転がるのを抑制することができる。したがって、歯間清掃具がケース本体から不意に落下するのを防止することができる。
【発明の効果】
【００２３】
本発明に係る歯間清掃具収容体によれば、複数の歯間清掃具が連結された連結成形体をケースから容易に取り出すことができる。
【図面の簡単な説明】
【００２４】
【図１】本発明の一実施形態に係る歯間清掃具収容体の分割斜視図である。
【図２】本発明の一実施形態に係る歯間清掃具の平面図である。
【図３】図２の側面図である。
【図４】本発明の一実施形態に係る連結成形体の平面図である。
【図５】本発明の一実施形態に係るケースを開いた状態を示す平面図である。
【図６】図５の側面図である。
【図７】図１の歯間清掃具収容体の使用方法を示す図である。
【図８】図１の歯間清掃具収容体の使用方法を示す図である。
【図９】図１の歯間清掃具収容体の使用方法を示す図である。
【図１０】図１の歯間清掃具収容体の使用方法を示す図である。
【図１１】図１の歯間清掃具収容体の使用方法を示す図である。
【図１２】本発明に係る歯間清掃具の他の例を示す平面図である。
【発明を実施するための形態】
【００２５】
以下、本発明に係る歯間清掃具収容体の一実施形態について、図面を参照しつつ説明する。図１は本実施形態に係る歯間清掃具収容体の分解斜視図である。なお、以下では、説明の便宜上、各図の図面内での方向を基準に説明を行う。この方向の中で、図２における左右方向を幅方向または左右方向、図２における上側を先端側又は前側ということもある。但し、本発明はこの方向の規定により限定されるものではない。
【００２６】
＜１．歯間清掃具収容体の概要＞
図１に示すように、この歯間清掃具収容体は、複数の歯間清掃具１が連結された連結成形体１０と、これを収容するケース２とを、備えている。以下、各部材について詳細に説明する。
【００２７】
＜１−１．歯間清掃具＞
図２は歯間清掃具の平面図、図３は図２の側面図である。図２及び図３に示すように、歯間清掃具１は、指で把持可能な板状の把持部３と、この把持部３の端部から延びる軸部４とを有する清掃具本体１００を備えている。そして、軸部４の先端部には、ブラシ状に形成された清掃部５が取り付けられている。以下では、軸部４の延びる方向を軸方向（一方向）、または前後方向と称し、清掃部５が設けられている側を前端または先端、それとは反対側を後端と称することとする。また、板状の把持部３の面方向において、軸方向と直交する方向を幅方向または左右方向と称し、板状の把持部３の２つの面を結ぶ方向を厚み方向と称することとする。
【００２８】
把持部３は、平面視矩形状の板状に形成されており、厚み方向に対向する第１面３１及び第２面３２には、凸部３３が形成されている。この凸部３３は、例えば、デザイン上のもののほか、商品名、商品ロゴを表すものであってもよい。また、把持部３の後端面３４は、厚み方向に延びる薄い面であるが、幅方向に延びる中央部３４１と、その両側から斜め方向に前方へ延びる一対の傾斜部３４２とで構成されている。
【００２９】
次に、軸部４について説明する。軸部４は、把持部３の先端に連結される第１部位４１と、この第１部位４１の先端に連結される第２部位４２とを有し、これら２つの部位４１，４２は一体的に形成されている。第１部位４１は、平面視三角形状に形成されており、把持部３の先端から前方にいくにしたがって左右方向の幅が狭くなるように形成されている。したがって、第１部位４１の両側面４１１は、軸部４の軸線Ｘ側に凸となる円弧状に形成されている。また、各側面４１１は、厚み方向に延びる平坦面によって形成されている。第２部位４２は、第１部位４１の先端から前後方向に延びる棒状に形成されており、先端にいくにしたがって幅がわずかに小さくなるように形成されている。
【００３０】
これら把持部３及び軸部４は、樹脂材料により一体的に形成されている。ここで用いられる樹脂材料としては、例えば、ポリプロピレン、ＡＢＳ、ポリブチレンテレフタレート、ポリカーボネート、ポリエチレンテレフタレート、ポリスチレン、ポリアセタール等とすることができる。
【００３１】
続いて、清掃部５について説明する。清掃部５は、軸部４の第２部位４２の軸方向の中心付近から先端に亘って外周面に薄膜状に被覆される被覆部５１と、この被覆部５１の外周面から軸方向と直交する方向に突出しブラシとして機能する多数の毛５２とを備えており、これらが一体的に形成されている。毛５２は、被覆部５１の外周面において、前後方向に所定間隔をおいて並び、この前後の列が、被覆部５１の周方向の全体に亘って複数形成されている。また、各毛５２は、先端にいくにしたがって細くなるように形成されている。このように清掃部５が軸部４を被覆することで、清掃部５の厚みは、把持部３を含む清掃具本体１００よりも厚くなっている。
【００３２】
清掃部５を構成する材料としては、例えば、エラストマーを用いることができる。エラストマーとしては、例えば、スチレン系エラストマー、シリコン、オレフィン系エラストマー、ポリエステル系エラストマー等を用いることができる。このようなエラストマーは、清掃具本体１００を構成する材料よりも硬度が低いものを用いることができる。例えば、清掃部５のショアＡ硬度が１０〜５０であるとすると、清掃具本体１００の硬度は、これよりも高くすることができる。
【００３３】
また、清掃部５を構成するエラストマーは、清掃具本体１００を構成する材料よりも静摩擦係数が低いものを用いることができる。例えば、清掃具本体１００の静摩擦係数が０．１〜０．４であるとすると、清掃部５の静摩擦係数は清掃具本体１の静摩擦係数よりも大きければ特に限定されないが、０．４〜０．７とすることができる。なお、静摩擦係数は、例えば、ＪＩＳ  Ｋ  ７１２５（プラスチック−フィルム及びシート−摩擦係数試験方法）により測定することができる。
【００３４】
＜１−２．連結成形体＞
図４は連結成形体の平面図である。図４に示すように、連結成形体１０は、複数の歯間清掃具１を連結したものである（本実施形態では５個）。図４に示すように、隣接する歯間清掃具１は、把持部３における軸方向の２箇所において、連結部６によって連結されている。連結部６は、薄肉状の部材であり、把持部３と一体的に形成されている。したがって、歯間清掃具１が互いに離間するように力を作用させると、連結部６が破断し、歯間清掃具１を切り離すことができる。
【００３５】
＜１−３．ケース＞
図５はカバーを開いたケースの平面図、図６は図５の側面図である。図５及び図６に示すように、ケース２は、底壁７１及びこの底壁の周縁から起立する側壁７２を有するケース本体７と、このケース本体７の側壁７２によって構成される開口を塞ぐカバー８と、を備えている。以下、詳細に説明する。
【００３６】
＜１−３−１．ケース本体＞
ケース本体７の底壁７１は、一対の長辺、つまり第１長辺及び第２長辺と、一対の短辺、つまり第１短辺及び第２短辺とを有する平面視矩形状に形成されている。ここでは、第１長辺、第２長辺、第１短辺、及び第２短辺に対応する側壁７２を、それぞれ、第１長側壁７２１、第２長側壁７２２、第１短側壁７２３、及び第２短側壁７２４と称することとする。また、側壁７２１〜７２４の、底壁７１と直交する方向を高さ方向（第３方向）と称することとする。
【００３７】
上述した連結成形体１０は、歯間清掃具１の前後方向が、ケース本体７の長辺方向（第１方向）と一致するように、ケース２に収容される。したがって、連結成形体１０の連結方向が、ケース本体７の短辺方向（第２方向）に沿うように配置される。
【００３８】
底壁７１と側壁７２１〜７２４との連結部分は円弧状に形成され、滑らかな外形及び内形をなすように形成されている。また、側壁７２１〜７２４の高さは小さく、概ね連結成形体１０を数枚積層させることができる程度の高さとすることができる。第１長側壁７２１には、３箇所においてヒンジ７３が形成されており、これらヒンジ７３よってケース本体７とカバー８とが開閉可能に連結されている。また、第２長側壁７２２には、板状の第１取っ手部７４１と第１係止凸部７４２が形成されている。より詳細に説明すると、第２長側壁７２２における長辺方向の中心を挟んで一方側には、平面視三角形状の第１取っ手部７４１が形成されており、この第１取っ手部７４１の、カバーを閉じた際にカバー８側を向く面には、直方体状の第１係止部材７４３が配置されている。そして、この第１係止部材７４３において、第１長側壁７２１に向く面に、第１係止凹部（図示省略）が形成されており、この第１係止凹部（図示省略）は、カバー８に形成された第２係止凸部８４２と着脱自在に係止するようになっている。
【００３９】
一方、この第２長側壁７２２の中心を挟んで他方側には、平面視矩形状の第１係止凸部７４２が形成されている。この第１係止凸部７４２は、カバー８に形成された第２係止部材８４３に設けられた、第２係止凹部（図示省略）と着脱自在に係止するようになっている。
【００４０】
また、第２長側壁７２２の内壁面において、長辺方向の中央には、突部７８が形成されている。この突部７８は、高さ方向に延びる矩形の板状に形成されており、連結成形体１０がケース本体７に収容されたとき、最も第２長側壁７２２の近くに配置された右端の歯間清掃具１の軸部４の第１部位４１の側面４１１と対向するようになっている。また、この突部７８において、ケース本体７の内側を向く面、つまり、後述するようにケース本体７に収容された歯間清掃具１の側面４１１と対向する面は、高さ方向及び第２長側壁７２２と平行に形成されている。
【００４１】
＜１−３−２．カバー＞
次に、カバー８について説明する。図５及び図６に示すように、カバー８は、矩形状の上壁８１と、この上壁８１の周縁に沿って延びる側壁８２とを備えている。この側壁８２は、ケース本体７の側壁７２１〜７２４と、それぞれ対向するように形成されており、第１長側壁８２１、第２長側壁８２２、第１短側壁８２３、及び第２短側壁８２４によって構成されている。また、ケース本体７の第２長側壁７２２と対向する第２長側壁８２２には、平面視三角形状の板状の第２取っ手部８４１と第２係止凸部８４２が形成されている。より詳細に説明すると、第２取っ手部８４１は、ケース本体７の第１係止凸部７４２と対向する位置に形成されている。そして、第２取っ手部８４１において、カバーを閉じた際にケース本体７側を向く面には、矩形状の第２係止部材８４３が形成されており、この第２係止部材８４３において、第１長側壁８２１を向く面に、ケース本体７の第１係止凸部７４２が嵌まる第２係止凹部（図示省略）が形成されている。
【００４２】
一方、第２係止凸部８４２は、ケース本体７の第１係止凹部（図示省略）と対向する位置に配置されており、上述したように、第１係止凹部（図示省略）に着脱自在に嵌まるようになっている。
【００４３】
＜２．歯間清掃具収容体の使用方法及び特徴＞
次に、上述した歯間清掃具収容体の使用方法について、図７〜図１１を参照しつつ説明する。まず、ケース２に収容した連結成形体１０の取出方法について説明する。図７に示すように、ケース２に連結成形体１０が収容されているとき、右側の歯間清掃具１は、ケース本体７の第２長側壁７２２の突部７８と向き合っている。より詳細には、突部７８が、歯間清掃具１における軸部４の第１部位４１の側面４１１と対向するようになっている。そして、図８に示すように、利用者は、連結成形体１０の把持部３を親指で底壁７１へ押圧しつつ、連結成形体１０を右側にスライドする。こうして、右端の歯間清掃具１の第１部位４１の円弧状の側面４１１が突部７８に当接した後、さらに連結成形体１０を右側にスライドすると、突部７８に沿って第１部位４１の側面４１１がスライドする。すなわち、図９に示すように、連結成形体１０は、右端の清掃部５を中心として把持部３が円を描くように移動し、右側にさらにずれるように移動する。図１０に示すように、この過程で、連結成形体１０は、突部７８に押圧され、右端の歯間清掃具１が、これに隣接する歯間清掃具１に対して連結部６を介してやや折れ曲がる。
【００４４】
そして、連結成形体１０をさらに右側にスライドさせると、図１１に示すように、折れ曲がった右端の歯間清掃具１は第２長側壁７２２を乗り越え、ケース本体７からはみ出る。この状態で、親指と人差し指との間でケース本体７からはみ出た歯間清掃具１を挟持すると、連結成形体１０をケース本体７から取り出すことができる。
【００４５】
続いて、右端または左端の歯間清掃具１を連結成形体１０から切り離した後、この連結成形体１０をケース本体７に戻し、カバー８を閉じる。その後、切り離した歯間清掃具１を用いて歯間の清掃を行う。
【００４６】
以上のように、本実施形態によれば、歯間清掃具１の軸部４に円弧状の側面４１１を形成し、これに対向するように、ケース本体７の第２長側壁７２２に突部７８を形成しているため、円弧状の側面４１１が突部７８に沿って移動することにより、右端の歯間清掃具１の把持部３が円弧を描くように右側へスライドするのが助長される。これにより、右端の歯間清掃具１が第２長側壁を乗り越え、ケース本体７の外へ移動させることができる。その結果、連結成形体１０をケース本体７から容易に取り出すことができる。
【００４７】
本実施形態では、清掃部５の硬度を清掃具本体１００よりも低くしたり、清掃部５の厚みを清掃具本体１００よりも大きくしたり、あるいは清掃部５の静摩擦係数を清掃具本体１００よりも大きくしているが、これによって、清掃部５よりも把持部３がケース本体７に対して滑りやすくなる。その結果、上記のように、右端の歯間清掃具１が、突部７８に沿って移動する際に、清掃部５を中心として把持部３が円弧を描くように、さらに右側へスライドするのが助長される。特に、清掃部５をスチレン系エラストマー、把持部３及びケース本体７をポリプロピレンで形成すると、特に把持部３が滑りやすくなる。また、把持部３に凸部３３が形成されて、ケース本体７との接触面積を小さくしていることも、滑りやすくなることに寄与している。
【００４８】
また、ケース本体７の内壁面において、側壁７２と底壁７１との連結部分が円弧状に形成されているため、右端の歯間清掃具１が底壁７１から第２長側壁７２２へとさらにスライドしやすくなり、歯間清掃具１が第２長側壁７２２を乗り越えやすくすることができる。
【００４９】
また、把持部３の後端面３４の角部が面取りされ、傾斜部３４２が形成されているため、連結成形体１０をスライドさせているときに、側壁７２に引っ掛かるのを防止することができる。
【００５０】
その一方で、歯間清掃具１の軸部４の円弧状の側面４１１は、連結成形体１０がケース本体７に収容されたとき、突部７８の高さ方向と略平行となるように形成されているため、歯間清掃具１の側面４１１とケース本体７の突部７８とが平行に接する。そのため、歯間清掃具１が側壁７２を中心として転がることを抑制することができる。したがって、歯間清掃具１がケース本体７から不意に落下するのを防止することができる。
【００５１】
＜３．変形例＞
以上、本発明の一実施形態について説明したが、本発明は上記実施形態に限定されるものではなく、その趣旨を逸脱しない限りにおいて、種々の変更が可能である。なお、以下の変形例は、適宜組合せ可能である。
【００５２】
上記のように、連結成形体１０をスライドさせて、右端の歯間清掃具１をケース本体７から取り出すには、少なくとも歯間清掃具１の軸部４に円弧状の側面４１１が形成され、ケース本体７の側壁７２に突部７８が形成されていることが必要である。したがって、上記実施形態のその他の構成は、把持部３を滑りやすくするための補助的なものであり、本発明の目的のためには、必ずしも必要なものではない。
【００５３】
上記実施形態では、歯間清掃具１の軸部４の側面４１１は、軸線Ｘに向かって凸となるように円弧状に形成されているが、これに限定されるものではなく、例えば、図１２のように、複数の曲線を組み合わせたものであってもよい。
【００５４】
歯間清掃具１は、把持部３、軸部４を一体的に形成しているが、別部材であってもよい。また、清掃部５の構成も特には限定されず、上述したブラシ状のほか、歯間の歯垢を掻き出せるような形状であればよい。
【００５５】
上記実施形態では、第２長側壁７２２に突部７８を設けたが、第１長側壁７２１に突部を設けることもできる。但し、第２長側壁７２２設ける場合、連結成形体１０をスライドさせる際に、カバー８が障害とならないため、好ましい。
【００５６】
ケース２の構成は、上述したように、少なくとも側壁７２に突部７８が設けられていれば、本発明の目的を達成することができるため、例えばカバー８、取っ手部７４１，８４１、側壁７２と底壁７１との連結構造などは、特には限定されない。
【符号の説明】
【００５７】
１  歯間清掃具
２  ケース
３  把持部
４  軸部
５  清掃部
７  ケース本体
７１  底壁
７２  側壁
７２１  第１長側壁（第１側壁）
７２１  第２長側壁（第１側壁）
７２１  第１短側壁（第２側壁）
７２１  第２短側壁（第２側壁）
８  カバー
【図１】
2018042806.tif 000003
【図２】
2018042806.tif 000004
【図３】
2018042806.tif 000005
【図４】
2018042806.tif 000006
【図５】
2018042806.tif 000007
【図６】
2018042806.tif 000008
【図７】
2018042806.tif 000009
【図８】
2018042806.tif 000010
【図９】
2018042806.tif 000011
【図１０】
2018042806.tif 000012
【図１１】
2018042806.tif 000013
【図１２】
2018042806.tif 000014